(57)【要約】【課題】  装置を凝視せずにテンポ値を確認することが容易なテンポ通知装置を提供する。【解決手段】  テンポを任意に設定するためのテンポ設定手段と、設定されたテンポの値に基づいて発音する音の周波数を決定するための発音周波数決定手段と、決定された周波数の音を発音手段で発音させるための発音制御手段と、設定されたテンポの値に基づいて発光素子の発光輝度や発光色を決定するための発光輝度・発光色決定手段と、決定された輝度または色で発光素子を発光させるための発光制御手段を具備し、テンポの値によって発音される音の周波数や発光する発光素子の輝度、色を変更することで、数字で表示されたテンポ値を凝視しなくてもテンポを容易に確認することを可能にした。【選択図】    図２
2007121376.tif 000002
【特許請求の範囲】
【請求項１】
使用者にテンポを通知するテンポ通知装置において、
テンポの値を任意に設定するためのテンポ設定手段と、
前記テンポ設定手段によって設定されたテンポの値に基づいて発音する音の周波数を決定するための発音周波数決定手段と、
前記発音周波数決定手段で決定された周波数の音を発音するための発音手段と、
前記発音周波数決定手段によって決定された周波数の音を前記発音手段で発音させるための発音制御手段を具備し、
テンポの値によって発音される音の周波数を変更することを特徴とするテンポ通知装置。
【請求項２】
使用者にテンポを通知するテンポ通知装置において、
テンポの値を任意に設定するためのテンポ設定手段と、
前記テンポ設定手段によって設定されたテンポの値に基づいて発光する発光素子の輝度を決定するための発光輝度決定手段と、
前記発光輝度決定手段で決定された輝度で発光するための発光手段と、
前記発光輝度決定手段によって決定された輝度で前記発光手段を発光させるための輝度制御手段を具備し、
テンポの値によって発光する発光素子の輝度を変更することを特徴とするテンポ通知装置。
【請求項３】
使用者にテンポを通知するテンポ通知装置において、
テンポの値を任意に設定するためのテンポ設定手段と、
前記テンポ設定手段によって設定されたテンポの値に基づいて発光する発光素子の色を決定するための発光色決定手段と、
前記発光色決定手段で決定された色で発光するための多色発光手段と、
前記発光色決定手段によって決定された色で前記多色発光手段を発光させるための発光色制御手段を具備し、
テンポの値によって発光する発光素子の色を変更することを特徴とするテンポ通知装置。
【請求項４】
使用者にテンポを通知するテンポ通知装置において、
テンポの値を設定するためのテンポ設定手段と、
発音手段と、
表示手段と、
前記テンポ設定手段によって設定されたテンポの値に基づいて、前記発音手段および／もしくは前記表示手段の動作を決定する動作決定手段と、
前記動作決定手段で決定した動作に基づいて、前記発音手段および／もしくは前記表示手段の動作を制御する制御手段とを有する、テンポ通知装置。
【請求項５】
さらに、テンポの値と、前記発音手段および／もしくは前記表示手段の動作とを関連付けた動作テーブルとを有し、
前記動作決定手段は、前記テンポ設定手段によって設定されたテンポの値に基づいて、前記動作テーブルから前記発音手段および／もしくは前記表示手段の動作を決定する、請求項４に記載のテンポ通知装置。
【請求項６】
前記動作テーブルは、
通知すべきテンポの値に対して、前記発音手段による発音周波数、前記表示手段による発光色、前記表示手段による発光輝度の少なくとも１種類以上を関連付けたテーブルである、請求項５に記載のテンポ通知装置。
【請求項７】
テンポ設定手段と、発音手段と、動作決定手段と、制御手段とを有するテンポ通知装置において用いられる、テンポ通知方法であって、
前記テンポ設定手段によって、表示するテンポの値を設定するステップと、
前記動作決定手段によって、前記設定されたテンポの値に基づいて、前記発音手段の動作を決定するステップと、
前記制御手段によって、前記決定した動作に基づいて、前記発音手段の動作を制御するステップと、
を含むテンポ通知方法。
【請求項８】
テンポ設定手段と、表示手段と、動作決定手段と、制御手段とを有するテンポ通知装置において用いられる、テンポ通知方法であって、
前記テンポ設定手段によって、表示するテンポの値を設定するステップと、
前記動作決定手段によって、前記設定されたテンポの値に基づいて、前記表示手段の動作を決定するステップと、
前記制御手段によって、前記決定した動作に基づいて、前記表示手段の動作を制御するステップと、
を含むテンポ通知方法。
【発明の詳細な説明】
【技術分野】
【０００１】
本発明は、楽器の演奏や運動など一定の周期で行う活動を補助するための、テンポ通知機能を持ったテンポ通知装置に関するものである。
【背景技術】
【０００２】
従来のテンポ通知装置では、テンポはＬＣＤやＬＥＤによって数値や画像として示したり、ダイヤルの指針が示す数値によって示したり、拍タイミングごとに一定周波数の音を発音したり発光したりすることによってユーザーに提供されていた（例えば、特許文献１参照。）。
【特許文献１】特開２００５−６２６９７号公報
【発明の開示】
【発明が解決しようとする課題】
【０００３】
上記のような通知方法では、楽譜を見ながら演奏したり、走ったりしているような、表示装置を凝視することが難しい場合には、テンポの値やその変更を確認することが困難であった。
【０００４】
そこで本発明の目的は、テンポ通知装置において、装置を凝視しなくてもテンポの値の認識を可能にすることにある。
【課題を解決するための手段】
【０００５】
上記の目的を達成するために、本発明のテンポ通知装置では、テンポの値を任意に設定するためのテンポ設定手段と、前記テンポ設定手段によって設定されたテンポの値に基づいて発音する音の周波数を決定するための発音周波数決定手段と、前記発音周波数決定手段で決定された周波数の音を発音するための発音手段と、前記発音周波数決定手段によって決定された周波数の音を前記発音手段で発音させるための発音制御手段を具備し、テンポの値によって発音される音の周波数を変更することを可能にした。
【０００６】
また、本発明のテンポ通知装置では、前記テンポ設定手段によって設定されたテンポの値に基づいて発光する発光素子の輝度を決定するための発光輝度決定手段と、前記発光輝度決定手段で決定された輝度で発光するための発光手段と、前記発光輝度決定手段によって決定された輝度で前記発光手段を発光させるための輝度制御手段を具備することで、テンポの値によって発光する発光素子の輝度を変更することも可能となる。
【０００７】
さらに、前記テンポ設定手段によって設定されたテンポの値に基づいて発光する発光素子の色を決定するための発光色決定手段と、前記発光色決定手段で決定された色で発光するための多色発光手段と、前記発光色決定手段によって決定された色で前記多色発光手段を発光させるための発光色制御手段を具備することで、テンポの値によって発光する発光素子の色を変更することも可能である。
【０００８】
また、本発明のテンポ通知装置は、テンポの値を設定するためのテンポ設定手段と、発音手段と、表示手段と、前記テンポ設定手段によって設定されたテンポの値に基づいて、前記発音手段および／もしくは前記表示手段の動作を決定する動作決定手段と、前記動作決定手段で決定した動作に基づいて、前記発音手段および／もしくは前記表示手段の動作を制御する制御手段とを有するものとした。これにより、テンポの値によって発音手段および／もしくは表示手段を制御したテンポの通知を可能にした。
【０００９】
さらに本発明のテンポ通知装置は、テンポの値と、前記発音手段および／もしくは前記表示手段の動作とを関連付けた動作テーブルとを有し、前記動作決定手段は、前記テンポ設定手段によって設定されたテンポの値に基づいて、前記動作テーブルから前記発音手段および／もしくは前記表示手段の動作を決定するものとした。
【００１０】
ここで動作テーブルは、通知すべきテンポの値に対して、前記発音手段による発音周波数、前記表示手段による発光色、前記表示手段による発光輝度の少なくとも１種類以上を関連付けたテーブルとした。
【００１１】
さらに本発明は、テンポ設定手段と、発音手段と、動作決定手段と、制御手段とを有するテンポ通知装置において用いられる、テンポ通知方法であって、前記テンポ設定手段によって、表示するテンポの値を設定するステップと、前記動作決定手段によって、前記設定されたテンポの値に基づいて、前記発音手段の動作を決定するステップと、前記制御手段によって、前記決定した動作に基づいて、前記発音手段の動作を制御するステップと、  を含むテンポ通知方法とした。
【００１２】
また本発明は、テンポ設定手段と、表示手段と、動作決定手段と、制御手段とを有するテンポ通知装置において用いられる、テンポ通知方法であって、前記テンポ設定手段によって、表示するテンポの値を設定するステップと、前記動作決定手段によって、前記設定されたテンポの値に基づいて、前記表示手段の動作を決定するステップと、前記制御手段によって、前記決定した動作に基づいて、前記表示手段の動作を制御するステップと、を含むテンポ通知方法とした。
【発明の効果】
【００１３】
以上説明したように本発明は、テンポ通知装置を使用中に、テンポの値によって発音されるテンポ音の周波数を変えたり、発光する表示体の輝度や色を変えたりすることによって、装置を凝視せずにテンポの値を認識することを可能にした。
【発明を実施するための最良の形態】
【００１４】
以下にこの発明の実施形態を図面に基づいて説明する。
【００１５】
図１は、本発明に関わるテンポ通知装置の実施形態の一例を示すブロック構成図である。テンポを設定するためのテンポ設定手段１、設定されたテンポの値に基づいて処理を行うマイコン２、マイコン２で処理された情報を基に表示を行う表示手段９、同様に発音するための発音手段１０で主に構成されている。
【００１６】
まず、テンポ設定手段１で設定されたテンポの値に係るテンポ情報は、マイコン２の入力ポート３を通してマイコン内に入力される。このテンポ情報は、動作を決定する手段である、発音周波数決定手段４、発光色決定手段５、発光輝度決定手段６にそれぞれ送られて処理される。例えば発音周波数決定手段４では、テンポの値に対応して、発音手段１０が発音するテンポ音の発音周波数の値を決定する。同様に、発光色決定手段５では表示手段９の発光色を、発光輝度決定手段６では表示手段９の輝度を、それぞれ決定する。
【００１７】
これらの決定した値は制御手段７（発音制御手段、輝度制御手段および発行色制御手段の機能を含む）で読み取られる。そして制御手段７は、表示手段９および／もしくは発音手段１０で適正に決定した値を出力するように制御する。こうして出力ポート８を通して接続された表示手段９および／もしくは発音手段１０ではテンポ値に応じた動作を行う。
【実施例１】
【００１８】
図２は本発明に関わるテンポ通知装置の実施形態の一例の正面図である。本体ケース１１には、電源スイッチ１２、スイッチやダイヤルなどで構成されるテンポ設定スイッチ１３（テンポ設定手段に相当する）、スピーカ１４（発音手段に相当する）を配置する。電源スイッチ２の操作でテンポ通知装置の電源をオンさせると、テンポ設定スイッチ１３で設定されたテンポ値の拍ごとにスピーカ１４からテンポ音の発音を行う。
【００１９】
図３はテンポ値を、発音する音名・オクターブのデータに変換するためのテーブルを示す図である。このテーブルは、テンポ通知装置内の記憶手段（図示せず）に記憶されている。発音されるテンポ音は、図３のテーブルに基づいて決定された音となる。
【００２０】
次に、本発明のテンポ通知装置の動作について説明する。まず図１のテンポ設定手段１で設定されたテンポの値を基に図３のテーブルを読み、発音する音を決定する。例えば、テンポ１２０の時、発音するテンポ音の音高は図３のテーブルよりオクターブ５のＤの音となる。こうして決定した音が発音される。よって、どのテンポの値がどの音に対応しているかを知っていれば、テンポの値を数値等で表示する表示装置がなくてもテンポの値を認識することが可能である。また、テンポ設定スイッチ１３によってテンポの値が変更になるとそれに伴い発音される音も変化する。
【実施例２】
【００２１】
図４は本発明に関わるテンポ通知装置の実施形態の別の一例の正面図である。本体ケース１１には、電源スイッチ１２、スイッチやダイヤルなどで構成されるテンポ設定スイッチ１３、スピーカ１４、ＬＥＤやＬＣＤなどで構成される発光素子１５（表示手段に相当する）を配置する。電源スイッチ１２の操作でテンポ通知装置の電源をオンさせると、テンポ設定スイッチ１３で設定されたテンポの値の拍ごとにスピーカ１４からテンポ音の発音を行う。このとき、発音周波数、発光輝度、発光色の情報を組み合わせてテンポ通知をすることも可能である。
【００２２】
図５はテンポ設定手段１で設定されたテンポの値を、発音する音名、発光素子の色や輝度のデータに変換するためのテーブルを示す図である。このテーブルは、テンポ通知装置内の記憶手段（図示せず）に記憶されている。この表ではテンポの値の百の位を発光素子の輝度で、十の位をテンポ音の音名で、一の位を発光素子の発光色で示している。
【００２３】
輝度に関しては、テンポの値の百の位が０ならば輝度１、１ならば輝度２、２ならば３となっている。また、音名に関しては、テンポの値の十の位が０ならばＣ、１ならばＣ＃というように音名と数字が対応している。さらに、発光色に関しても同様に、テンポの値の一の位が０ならば白、２ならば赤、というように数字と色が対応している。
【００２４】
例えばこの図を基にテンポ１２０を表現する場合、発音する音はＤの音となり、発光素子の色は白、輝度は３段階の２番目となる。こうして決定した音高、発光色、輝度で動作を行うため、どのテンポの値がどの音や色、輝度に対応しているかを知っていれば、テンポ値を数値等で表示する表示装置がなくてもテンポの値を認識することが可能である。また、テンポ設定スイッチ１３によってテンポの値が変更になるとそれに伴い発音される周波数、発光素子の輝度、発光色を設定して動作を継続する。
【００２５】
このように本発明のテンポ通知装置は、通知するテンポの値に応じてテンポの表現が異なるため、テンポ通知装置を凝視しなくても、どのようなテンポが表現されているのか、認識することが可能である。
【００２６】
また、表示装置で数値を示す場合には、数値を認識可能な大きさに表現するため、ある程度の画面サイズが必要となるが、本発明のテンポ通知装置ならば、発音手段および／もしくは多色発光可能な発光素子があればよい。よって、表示装置を新たに追加する必要がなく、省スペースの製品開発が可能である。例えば、携帯型の製品、楽器装着型の製品、腕時計型の製品等にすることも可能である。
【００２７】
また、実施例１ではテンポの値を音の周波数の違いで表現し、実施例２ではテンポの値を音の周波数と発光色と発光輝度で表現したが、テンポの値を表現する際の組み合わせに関してはこれに限らない。例えば、テンポの値を、発光色のみで表現したり、発光色と発行輝度の組み合わせによって表現したりしてもよい。
【００２８】
また、図３や図５のようなテーブルを装置内に複数個設け（または使用者自らテーブルを作成できるようにして）、図示しないがテーブルを選択する手段を装置に設けることにより、使用者が複数のテーブルから所望のテーブルを選択して好みのテンポ通知装置を作り上げることができるようにしてもよい。
【００２９】
また、本発明のテンポ通知方法は、電子楽器のテンポ通知装置にも採用することも可能である。
【図面の簡単な説明】
【００３０】
【図１】本発明を用いたテンポ通知装置の実施形態の一例を表すブロック図である。
【図２】本発明を用いたテンポ通知装置の実施形態の一例を表す外観図である。
【図３】テンポ値に対する発音音高のテーブルを示す図である。
【図４】本発明を用いたテンポ通知装置の実施形態の別の一例を表す外観図である。
【図５】テンポ値に対する発音音高、発光輝度、発光色のテーブルを示す図である。
【符号の説明】
【００３１】
１      テンポ設定手段
２      マイコン
３      入力ポート
４      発音周波数決定手段
５      発光色決定手段
６      発光輝度決定手段
７      制御部
８      出力ポート
９      表示手段
１０    発音手段
１１    本体ケース
１２    電源スイッチ  
１３    テンポ設定スイッチ
１４    スピーカ
１５    発光素子
【図１】
2007121376.tif 000003
【図２】
2007121376.tif 000004
【図３】
2007121376.tif 000005
【図４】
2007121376.tif 000006
【図５】
2007121376.tif 000007